(57)【要約】      （修正有）【課題】枕高さを調整する枕において、使用時の枕形状の安定性を高めると共に、枕のクッション性、接触感の変更等を任意に調整できるようにした枕を提供する。【解決手段】枕本体Ａが上下二層構造のネット袋で、下層袋部に綿状シート体を充填し、上層袋部は、縫合によって、細幅部１１１と左右で分画した分画中間部１１２ａ、１１２ｂ、１１２ｃと幅広部１１３の前後３列に分割すると共に、各分画列にヒバ小片２１と合成樹脂製小パイプ体２２を適宜な比率で充填してなる。【選択図】図３
0003171124.tif 000002
【実用新案登録請求の範囲】
【請求項１】
枕本体と枕本体が収納されるカバー体とで構成され、枕本体が上下二層構造のネット袋で、下層袋部に綿状シート体を充填し、上層袋部は、縫合によって、細幅部と左右で分画した分画中間部と幅広部の前後３列に分割すると共に、各分画列にヒバ小片と粒状クッション体を適宜な比率で充填してなるもので、カバー体が布製で外被の両側部に紐通し部を形成し、紐通し部に挿通した紐の一端を外被に止着して他端を紐通し部の外方に突出せしめ、紐の突出部分に、突出状態を維持する止着具を装着してなることを特徴とする枕。
【請求項２】
ネット袋の上層袋部の分画中間部の分画縫合箇所及び分画中間部の細幅部との分割縫合箇所の一部を非縫合として連通部を形成すると共に、分画中間部の一辺側に上層第一開閉ファスナーを設け、幅広部の一辺側にも上層第二開閉ファスナーを設け、下層袋部の他辺側に下層開閉ファスナーを設けてなる請求項１記載の枕。
【請求項３】
ヒバ小片として、幅６〜９ｍｍで長さ６〜９ｍｍの角柱体又は円柱体を使用し、粒状クッション体として径４〜６ｍｍで長さ６〜９ｍｍの合成樹脂製小パイプ体を使用してなる請求項１又は２記載の枕。
【請求項４】
ヒバ小片と小パイプ体の混合比率が全体の平均重量比で１：１０〜１：５の範囲とし、細幅部のヒバ小片混合比率を幅広部の約２倍としてなる請求項３記載の枕。
【考案の詳細な説明】
【技術分野】
【０００１】
本考案は、所定の構造の枕カバーと所定構造の枕体を組み合わせてなる枕に関するものである。
【背景技術】
【０００２】
本出願人は、木質サイコロ体（ヒノキ科植物）を充填物として内装した枕本体と枕カバーの組み合わせからなる枕を提案した（特許文献１：特開平０８−２４２９９３号公報）。
【０００３】
この枕は、枕本体が木質サイコロ体と合成樹脂製小パイプ体の混合品を充填物として、袋状の枕カバーが外被若しくはカバー本体外被両側部に紐通し部を形成し、紐通し部に挿通した紐の一端を外被に止着して他端を紐通し部の外方に突出せしめ、紐の突出部分に、突出状態を維持する止着具を装着したもので、枕の高さを調整できるようにしたものである。
【０００４】
またヒノキペレットを充填物として採用した枕は、ヒノキペレットとヒノキのおが粉（小包袋）で、複数分割した箇所に充填内装した枕本体を備えたもの（特許文献２：登録実用新案３１５２６２２号公報の図１）、軟質発砲体のクッション部と乾燥檜小片部の二層構造の枕本体を備えたもの（特許文献３：特開平８−２１５０１２号公報）、が知られている。
【０００５】
また枕の形状として、睡眠時の呼吸に最適なように、頸部を載置する箇所を高くし、後頭部を載置する箇所を低くするものが広く知られている（特許文献２の図２）。
【先行技術文献】
【特許文献】
【０００６】
【特許文献１】特開平８−２４２９９３号公報。
【特許文献２】登録実用新案３１５２６２２号公報図１。
【特許文献３】特開平８−２１５０１２号公報。
【考案の概要】
【考案が解決しようとする課題】
【０００７】
枕の高さは、使用者にとって最適な睡眠を得る大きな条件の一つである。使用者が自ら調整できることが好ましく、その一手段として前記の特許文献１のとおり本出願人が枕カバーによる実施を可能とした発明を提示した。
【０００８】
特許文献１に開示されている枕本体は、単一の袋体内に、芳香源となる木質サイコロ体とクッション源となる合成樹脂製小パイプを充填しているもので、前記の頸部載置部分を他の部分より高くするなどの調整は困難である。
【０００９】
そこで本考案は、高さ調整用枕カバーを採用した場合の使用時の枕形状の安定性を高めると共に、枕のクッション性、接触感の変更等を任意に調整できる枕を提案したものである。
【課題を解決するための手段】
【００１０】
本考案に係る枕は、枕本体と枕本体が収納されるカバー体とで構成され、枕本体が上下二層構造のネット袋で、下層袋部に綿状シート体を充填し、上層袋部は、縫合によって、細幅部と左右で分画した分画中間部と幅広部の前後３列に分割すると共に、各分画列にヒバ小片と粒状クッション体を適宜な比率で充填してなるもので、カバー体が布製で外被の両側部に紐通し部を形成し、紐通し部に挿通した紐の一端を外被に止着して他端を紐通し部の外方に突出せしめ、紐の突出部分に、突出状態を維持する止着具を装着してなることを特徴とするものである。
【００１１】
しかして枕本体をカバー体に収納し、紐を紐通し部から引き出して、枕本体の高さが所望のものとなる位置で止着具によって紐を止着する。従って枕の高さが調整できると共に、枕本体を前後方向で絞ると、分画中間部は左右の分画縫合部で充填物の移動が阻止されるので、高く盛り上がることが無く、そして幅広部が細幅部より高く盛り上がるので、頸部載置箇所となる幅広部が、睡眠に適する安定した形状の枕となるものである。更に表裏ひっくり返して使用することで、頭部当接面を綿状シート体とすることもできる。
【００１２】
また本考案（請求項２）に係る枕は、前記枕において、ネット袋の上層袋部の分画中間部の分画縫合箇所及び分画中間部の細幅部との分割縫合箇所の一部を非縫合として連通部を形成すると共に、分画中間部の一辺側に上層第一開閉ファスナーを設け、幅広部の一辺側にも上層第二開閉ファスナーを設け、下層袋部の他辺側には下層開閉ファスナーを設けてなるもので、細幅部及び分画中間部への充填物の充填量と、幅広部への充填物の充填量を調整でき、更に下層開閉ファスナーからの綿状体の充填量も調整できる。
【００１３】
更に本考案（請求項３、４）に係る枕は、上層袋部への充填物を、ヒバ小片として、幅６〜９ｍｍで長さ６〜９ｍｍの角柱体又は円柱体を使用し、粒状クッション体として径４〜６ｍｍで長さ６〜９ｍｍとした合成樹脂製小パイプ体を使用し、更にヒバ小片と小パイプ体の混合比率が全体の平均重量比で１：１０〜１：５の範囲とし、細幅部のヒバ小片混合比率を幅広部の約２倍としてなるものである。
【００１４】
従って小パイプ体のクッション性とヒバ小片の芳香性、消臭性及び防虫防黴効果を得ることができると共に、使用時に頭部圧力が大きく加わる幅広部のクッション性を高め、使用時に頭部圧力が大きく加わることのない細幅部の芳香性、消臭性及び防虫防黴効果を高めたものである。
【考案の効果】
【００１５】
以上のとおり本考案は、上下層の袋部を備え、且つ上層袋部を前後３列に分割し、各分割範囲及び下層袋部に所定の充填物を充填した枕本体と、枕本体を前後方向に絞り込んで高さ調整可能とした枕カバーとを組み合わせたもので、その充填量を予め調整しておくことで、高さ調整後の枕形状を特定の形状に安定させることができるものである。
【図面の簡単な説明】
【００１６】
【図１】本考案の実施形態を示す全体斜視図（高さ調整後）。
【図２】同図（調整前）。
【図３】枕本体の説明図（一部切断した平面図）。
【図４】同図（全体斜視図）。
【図５】同図（クッション体の説明図）。
【図６】同図（断面図）。
【考案を実施するための形態】
【００１７】
次に本考案の実施形態について説明する。実施形態に示した枕は、ネット袋１と充填物２ａ，２ｂで形成される枕本体Ａと、枕本体Ａが収納されるカバー体Ｂとで構成される。
【００１８】
枕本体Ａのネット袋１は、上層袋部１１と下層袋部１２の上下二層構造で、上層袋部１１は、縫合によって、細幅部１１１と、左右で分画した分画中間部１１２ａ，１１２ｂ，１１２ｃと幅広部１１３の前後３列に分割したものである。
【００１９】
特に細幅部１１１と、左右で分画した分画中間部１１２ａ，１１２ｂ，１１２ｃとの間は分画縫合の一部、例えば左側分画中間部１１２ａの左端箇所と細幅部１１１の左端箇所を非縫合として連通部１１４ａとし、また左右分画中間部１１２ａ，１１２ｂ，１１２ｃの分画縫合箇所も、その前後端を非縫合として連通部１１４ｂとする。更に右端分画中間部の右辺には、充填物２ａの充填を行う上層第一開閉ファスナー１１５を設けておく。
【００２０】
上層袋部１１の後列に該当する幅広部１１３は独立した室を形成しているもので、右辺に充填物２ａの充填を行う上層第二開閉ファスナー１１６を設けてなるものである。
【００２１】
尚細幅部１１１と分画中間部１１２と幅広部１１３の前後幅の割合は、例えば１０ｃｍ、１５ｃｍ，１５ｃｍ程度としておく。勿論この比率については適宜変更することも可能である。
【００２２】
また下層袋部１２にも左辺に下層開閉ファスナー１２１を設けてなるものである。
【００２３】
前記の上下層袋部１１，１２内に充填物２ａ，２ｂを充填するものであるが、上層袋部１１に充填される充填物２ａは、ヒバ小片２１と粒状クッション体２２を適宜な比率で混合したものである。
【００２４】
ヒバ小片２１は、幅６〜９ｍｍで長さ６〜９ｍｍの円柱体（六角柱体や八角柱体でもよい）に形成したものを使用するものであり、粒状クッション体２２は、径４〜６ｍｍで長さ６〜９ｍｍの合成樹脂製小パイプ体（ソフトパイプビース）を使用する。そして細幅部１１１と分画中間部１１２に対しては、ヒバ小片２１と粒状クッション体（小パイプ体）２２の混合比率が重量比で１：５程度のものを充填し、幅広部１１３は１：１０程度の混合比率のものを使用する。
【００２５】
尚粒状クッション体２２は、前記の小パイプ体の他、蕎麦殻や発泡マイクロビース等の枕充填材として使用できるものであれば、任意の物を使用できる。
【００２６】
下層袋部１２には、下層開閉ファスナー１２１から綿状シート体２ｂを充填するものである。
【００２７】
カバー体Ｂは、従前のものと同一で、枕本体Ａの収納をなす袋状本体３に、枕本体Ａの収納口を設け、袋状本体３の両側部分に、適宜幅を残してその表裏を縫合して形成した紐通し部３１を設け、この紐通し部３１に紐３２を挿通し、且つ紐通し部３１の奥端に紐３２の端部を縫合その他の手段で止着し、紐３２の他端を紐通し部３１の外方に突出せしめ、紐３２の突出部分に、突出状態を維持する止着具３３を装着してなるものである。
【００２８】
而して枕本体Ａをカバー体Ｂ内に収納し、紐３２を紐通し部３１から引き出し、紐通し部３１の部分を皺寄せ状態とし、枕の高さが所望のものとなる位置で止着具３３によって紐３２を止着する。
【００２９】
前記の操作によってカバー体Ｂ内の枕本体Ａは、前後方向で縮められて通常状態より高くなるもので、特に分画中間部１１２は左右の分画縫合部分によって、充填物の移動が阻止されるので高く盛り上がることが無く、そして同じ割合で前後方向が縮められると、結果的に幅広部１１３が細幅部１１１より高くなる。
【００３０】
従って幅広部１１３が頸部載置箇所となる睡眠に適する安定した形状の枕となるものである。勿論下層袋部１２には、綿状シート体２ｂが充填されているので、表裏ひっくり返して使用することで、頭部当接面の感触の変更も可能である。
【符号の説明】
【００３１】
Ａ        枕本体
Ｂ        カバー体
１        ネット袋
１１      上層袋部
１１１    細幅部
１１２ａ，１１２ｂ，１１２ｃ    分割中間部
１１３    幅広部
１１４ａ，１１４ｂ    連通部
１１５    上層第一開閉ファスナー
１１６    上層第二開閉ファスナー１
１２      下層袋部
１２１    下層開閉ファスナー
２ａ      充填物
２１      ヒバ小片
２２      粒状クッション体（合成樹脂製小パイプ体）
２ｂ      綿状シート体
３        袋状本体
３１      紐通し部
３２      紐
３３      止着具
【図１】
0003171124.tif 000003
【図２】
0003171124.tif 000004
【図３】
0003171124.tif 000005
【図４】
0003171124.tif 000006
【図５】
0003171124.tif 000007
【図６】
0003171124.tif 000008